(57)【要約】【課題】物体側から順に、負の屈折力を有する第１レンズ群、絞り及び正の屈折力を有する第２レンズ群からなるレトロフォーカス型広角レンズ系において、バックフォーカスが長くFナンバーが４程度、半画角が４５度程度で、無限遠から近接距離に渡って良好な光学的性能を実現することのできる広角レンズ系を得る。【解決手段】第１レンズ群は、物体側から順に位置する、物体側に凸面を向けた負メニスカスレンズ、物体側に凸面を向けた平凸レンズまたは両凸レンズ、物体側に凸面を向けた２枚の負メニスカスレンズ、正レンズ、及び正レンズと負レンズの接合レンズを有し、第２レンズ群は、物体側から順に位置する、負レンズと正レンズが接合された接合レンズ、及び像面側に凸面を向けた正メニスカスレンズを有する広角レンズ系。【選択図】図１
2009116132.tif 000002
【特許請求の範囲】
【請求項１】
物体側から順に、負の屈折力を有する第１レンズ群、絞り及び正の屈折力を有する第２レンズ群からなり、
第１レンズ群は、物体側から順に位置する、物体側に凸面を向けた負メニスカスレンズ、物体側に凸面を向けた平凸レンズまたは両凸レンズ、物体側に凸面を向けた２枚の負メニスカスレンズ、正レンズ、及び正レンズと負レンズの接合レンズを有し、
第２レンズ群は、物体側から順に位置する、負レンズと正レンズが接合された接合レンズ、及び像面側に凸面を向けた正メニスカスレンズを有することを特徴とする広角レンズ系。
【請求項２】
請求項１記載の広角レンズ系において、第１レンズ群は、物体側から順に位置する物体側に凸面を向けた負メニスカスレンズと物体側に凸面を向けた平凸レンズまたは両凸レンズからなる第１ａレンズ群と、この第１ａレンズ群以降の第１ｂレンズ群とからなり、次の条件式（１）及び（２）を満足する広角レンズ系。
（１）７．０＜｜ｆ１ａ｜／ｆ＜１３．０
（２）１．８＜｜ｆ１ｂ｜／ｆ＜６．５
但し、
ｆ；全系の焦点距離、
ｆ１ａ；第１ａレンズ群の焦点距離、
ｆ１ｂ；第１ｂレンズ群の焦点距離。
【請求項３】
請求項１または２記載の広角レンズ系において、無限遠物体から近距離物体へのフォーカシングに際して、第１レンズ群と第２レンズ群は、物体側にそれぞれ独立して移動する広角レンズ系。
【請求項４】
請求項１記載の広角レンズ系において、第１レンズ群は、フォーカシングに際して移動しない第１ａレンズ群と、移動する第１ｂレンズ群とからなり、無限遠物体から近距離物体へのフォーカシングに際して、この第１ｂレンズと第２レンズ群は、物体側にそれぞれ独立して移動する広角レンズ系。
【請求項５】
請求項４記載の広角レンズ系において、次の条件式（１）及び（２）を満足する広角レンズ系。
（１）７．０＜｜ｆ１ａ｜／ｆ＜１３．０
（２）１．８＜｜ｆ１ｂ｜／ｆ＜６．５
但し、
ｆ；全系の焦点距離、
ｆ１ａ；第１ａレンズ群の焦点距離、
ｆ１ｂ；第１ｂレンズ群の焦点距離。
【請求項６】
請求項１ないし５のいずれか１項記載の広角レンズ系において、次の条件式（３）を満足する広角レンズ系。
（３）-３．９＜ＳＦ＜-２．０
但し、
ＳＦ＝（Ｒ２+Ｒ１）／（Ｒ２-Ｒ１）
Ｒ１；最も物体側に位置する負メニスカスレンズの物体側の面の曲率半径、
Ｒ２；最も物体側に位置する負メニスカスレンズの像側の面の曲率半径。
【請求項７】
請求項１ないし６のいずれか１項記載の広角レンズ系において、次の条件式（４）及び（５）を満足する広角レンズ系。
（４）-０．１５＜ｎｐ-ｎｎ＜-０．０７
（５）-２１＜νｐ-νｎ＜-１６
但し、
ｎｐ：第１レンズ群中の接合レンズを構成する正レンズの屈折率、
νｐ：第１レンズ群中の接合レンズを構成する正レンズのアッベ数、
ｎｎ：第１レンズ群中の接合レンズを構成する負レンズの屈折率、
νｎ：第１レンズ群中の接合レンズを構成する負レンズのアッベ数。
【請求項８】
請求項１ないし７のいずれか１項記載の広角レンズ系において、第１レンズ群は、接合レンズとその物体側の正レンズとの間に、像側に凸面を向けた負メニスカスレンズをさらに有している広角レンズ系。
【請求項９】
請求項１ないし８のいずれか１項記載の広角レンズ系において、第２レンズ群は、像面側に凸面を向けた正メニスカスレンズの像側にさらに像側に凸面を向けた正レンズを有している広角レンズ系。
【発明の詳細な説明】
【技術分野】
【０００１】
本発明は、写真用カメラ（特にデジタル一眼レフカメラ）、ビデオカメラに供する撮影レンズ系に関し、バックフォーカスを十分に取りつつ十分な収差補正を実現することのできる広角レンズ系に関する。
【背景技術】
【０００２】
写真用カメラ、電子スチルカメラ、ビデオカメラなどといった製品分野において画角を大きく取れる広角レンズ系では、カメラの機構上、レンズ最終面と撮像面との間に一定の距離（バックフォーカス）を確保する必要性から、物体側から負正の屈折力配置としたレトロフォーカスタイプがよく採用される。
【特許文献１】特開平09-113798号公報
【特許文献２】特開2005-316014号公報
【特許文献３】特開2006-301416号公報
【発明の開示】
【発明が解決しようとする課題】
【０００３】
しかしながらレトロフォーカスタイプはマスターレンズの前に負の強い屈折力を持つレンズ群を配置する構成上、絞りに対して非対称なレンズ系となるため、前群で発生するディストーションや倍率色収差といった諸収差の補正が難しい欠点もある。具体的に例えば、特許文献１で提案されているレンズ系は光学収差面では良好な性能を示すが、最も物体側の群のパワー（屈折力）配置が不適切なために十分なバックフォーカスが取れない欠点がある。特許文献２では、硝材の選択が不適切なため特に軸外で色収差によるフレアが大きく発生しており、また各群のパワーバランスが不適切で全長が大きくなっている欠点がある。特許文献３は、絞りより物体側の２つの群の屈折力配置が不適切なためディストーションや像面湾曲といった軸外光による収差が大きく発生しており、また貼り合わせレンズの硝材選択が不適切で全系の倍率色収差と像面湾曲が大きく発生している。
【０００４】
本発明は、焦点距離に比べてバックフォーカスが長くFナンバーが４程度、半画角が４５度程度で、無限遠から近接距離に渡って良好な光学的性能を実現することのできるレトロフォーカス型広角レンズ系を得ることを目的とする。
【課題を解決するための手段】
【０００５】
本発明による広角レンズ系は、物体側から順に、負の屈折力を有する第１レンズ群、絞り及び正の屈折力を有する第２レンズ群からなり、第１レンズ群は、物体側から順に位置する、物体側に凸面を向けた負メニスカスレンズ、物体側に凸面を向けた平凸レンズまたは両凸レンズ、物体側に凸面を向けた２枚の負メニスカスレンズ、正レンズ、及び正レンズと負レンズの接合レンズを有し、第２レンズ群は、物体側から順に位置する、負レンズと正レンズが接合された接合レンズ、及び像面側に凸面を向けた正メニスカスレンズを有することを特徴としている。
【０００６】
第１レンズ群は、具体的には例えば、物体側から順に位置する物体側に凸面を向けた負メニスカスレンズと物体側に凸面を向けた平凸レンズまたは両凸レンズからなる第１ａレンズ群と、この第１ａレンズ群以降の第１ｂレンズ群とから構成し、次の条件式（１）及び（２）を満足させることが好ましい。
（１）７．０＜｜ｆ１ａ｜／ｆ＜１３．０
（２）１．８＜｜ｆ１ｂ｜／ｆ＜６．５
但し、
ｆ；全系の焦点距離、
ｆ１ａ；第１ａレンズ群の焦点距離、
ｆ１ｂ；第１ｂレンズ群の焦点距離、
である。
【０００７】
また、無限遠物体から近距離物体へのフォーカシングに際して、第１レンズ群と第２レンズ群は、物体側にそれぞれ独立して移動させる態様が可能である。
【０００８】
第１レンズ群は、具体的には例えば、フォーカシングに際して移動しない第１ａレンズ群と、移動する第１ｂレンズ群とから構成し、無限遠物体から近距離物体へのフォーカシングに際して、この第１ｂレンズと第２レンズ群を、物体側にそれぞれ独立して移動させる態様が可能である。
【０００９】
このフォーカシング態様においても、条件式（１）及び（２）を満足させることが好ましい。
（１）７．０＜｜ｆ１ａ｜／ｆ＜１３．０
（２）１．８＜｜ｆ１ｂ｜／ｆ＜６．５
但し、
ｆ；全系の焦点距離、
ｆ１ａ；第１ａレンズ群の焦点距離、
ｆ１ｂ；第１ｂレンズ群の焦点距離、
である。
【００１０】
本発明の広角レンズ系は、次の条件式（３）を満足することが望ましい。
（３）-３．９＜ＳＦ＜-２．０
但し、
ＳＦ＝（Ｒ２+Ｒ１）／（Ｒ２-Ｒ１）
Ｒ１；最も物体側に位置する負メニスカスレンズの物体側の面の曲率半径、
Ｒ２；最も物体側に位置する負メニスカスレンズの像側の面の曲率半径、
である。
【００１１】
また、次の条件式（４）及び（５）を満足させることが望ましい。
（４）-０．１５＜ｎｐ-ｎｎ＜-０．０７
（５）-２１＜νｐ-νｎ＜-１６
但し、
ｎｐ：第１レンズ群中の接合レンズを構成する正レンズの屈折率、
νｐ：第１レンズ群中の接合レンズを構成する正レンズのアッベ数、
ｎｎ：第１レンズ群中の接合レンズを構成する負レンズの屈折率、
νｎ：第１レンズ群中の接合レンズを構成する負レンズのアッベ数、
である。
【００１２】
第１レンズ群は、その具体的構成例では、接合レンズとその物体側の正レンズとの間に、像側に凸面を向けた負メニスカスレンズをさらに備えている。
【００１３】
第２レンズ群は、その具体的構成例では、像面側に凸面を向けた正メニスカスレンズの像側にさらに像側に凸面を向けた正レンズを備えている。
【発明の効果】
【００１４】
本発明のレトロフォーカス型広角レンズ系によれば、焦点距離に比べてバックフォーカスが長くFナンバーが４程度、半画角が４５度程度で、無限遠から近接距離に渡って良好な光学的性能を実現することができる。
【発明を実施するための最良の形態】
【００１５】
本発明による広角レンズ系は、図１（図３）、図５（図７）、図９（図１１）、図１３（図１５）、図１７（図１９）、図２１（図２３）、及び図２５（図２７）の各実施例に示すように、絞りＳを境にして分けた、物体側の負の屈折力の第１レンズ群１０と、像側の正の屈折力の第２レンズ群２０とからなっている。Ｉは像面である。
【００１６】
本実施形態は、フォーカシングをフローティングによって行うもので、そのフローティングの態様には、２態様がある。その第１の態様は、図１、図５、図９、図１３、図１７の各レンズ構成図の下部に矢印で示すように、第１レンズ群１０を、フォーカシングに際して移動しない負の屈折力の第１ａレンズ群１１と、移動する同じく負の屈折力の第１ｂレンズ群１２とに分け、無限遠物体から近距離物体へのフォーカシングに際して、この第１ｂレンズ１２と第２レンズ群２０をそれぞれ物体側に独立して移動させる（第１ｂレンズ群１１より第２レンズ群２０の移動量が大きい）態様である。第２の態様は、図２１及び図２５の各レンズ構成図の下部に矢印で示すように、無限遠物体から近距離物体へのフォーカシングに際して、第１レンズ群１０と第２レンズ群２０を一体としてそれぞれ物体側に独立して移動させる（第１レンズ群１０より第２レンズ群２０の移動量が大きい）態様である。いずれのフローティングフォーカスによっても、移動群の重量を軽減し、ＡＦ化を容易にすることができる。
【００１７】
また本実施形態の広角レンズ系は、バックフォーカスを十分にとるため、物体側から順に負、正の屈折力配置のレトロフォーカスの構成を取っている。本実施形態の広角レンズ系は、負の屈折力の第１レンズ群１０と正の屈折力の第２レンズ群２０でまずレトロフォーカス構造である。また、第１レンズ群１０を上述のようにフォーカシングの際に不動の群（第１ａレンズ群１１）と可動の群（第１ｂレンズ群１２）とに分けたときには、第１ａレンズ群１１が負の屈折力を持ち、第１ｂレンズ群１２と第２レンズ群２０が合成で正の屈折力を持つようにして、レトロフォーカス構造としている。
【００１８】
第１レンズ群１０の全体をフォーカス群とする態様においては、第１ａレンズ群１１を、物体側に凸面を向けた負メニスカスレンズと物体側に凸面を向けた平凸レンズまたは両凸レンズからなるとして定義する。この定義に従っても、第１ａレンズ群１１は負の屈折力を持ち、第１ｂレンズ群１２と第２レンズ群２０の合成屈折力は正である。別言すると、第１ａレンズ群１１は、レトロフォーカスタイプレンズの負の部分である。
【００１９】
第１ｂレンズ群１２は、いずれの実施例でも、物体側から順に位置する、２枚の物体側に凸面を向けた負メニスカスレンズ、厚い正メニスカスレンズまたは両凸正レンズ、及び正レンズと負レンズ各１枚の接合レンズを有しており、全体として負の屈折力を有している。数値実施例６と７では、厚い正メニスカスレンズまたは両凸正レンズと、接合レンズの間に、像側に凸面を向けた負メニスカスレンズが配置されている。
【００２０】
第２レンズ群２０は、いずれの実施例でも、物体側から順に位置する、負レンズと正レンズ各１枚の接合レンズ、像側に凸面を向けた正メニスカスレンズ、及び像側に凸面を向けた正レンズで構成され、全体として正の屈折力を持っている。
【００２１】
条件式（１）、（２）は、バックフォーカスを確保し、良好な収差補正を実現するために第１レンズ群１０の第１ａレンズ群１１と第１ｂレンズ群１２が満足すべき条件である。条件式（１）の下限を下回るか、条件式（２）の下限を下回ると、第１レンズ群で主に軸外光線による収差が大きく発生し、第２レンズ群２０での補正が困難になる。反対に条件式（１）の上限を上回るか、条件式（２）の上限を上回ると、バックフォーカスが不足する。
【００２２】
条件式（３）は、最も物体側に位置する物体側に凸面を向けた負メニスカスレンズのシェイプファクター（レンズ形状）に関する条件式で、同負メニスカスレンズで発生する歪曲収差と生産性を両立するための条件である。条件式（３）の下限を下回ると、歪曲収差発生量は少なくなるが、負メニスカスレンズの凹形状が深くなり生産性に問題が生ずる。条件式（３）の上限を上回ると、歪曲収差が多く発生し、後続のレンズ系による補正が困難となる。
【００２３】
条件式（４）、（５）は、第１ｂレンズ群中の接合レンズの屈折率とアッベ数に関する条件で、色収差と像面湾曲をバランスよく補正するための条件である。屈折率に関する条件式（４）の上限を超えると、像面湾曲の補正が困難となり、下限を下回ると、硝材選択の余地がなくなるか先行の負メニスカスレンズによって発生した色収差の補正が困難となる。またアッベ数に関する条件式（５）を満足しないと、同様に色収差の補正が困難となる。
【００２４】
次に具体的な数値実施例を示す。諸収差図及び表中、球面収差で表される色収差（軸上色収差）図及び倍率色収差図中のＳＡは球面収差、ＳＣは正弦条件、ｄ線、ｇ線、C線はそれぞれの波長に対する収差であり、Ｓはサジタル、Ｍはメリディオナル、FNO.はＦナンバー、FEは有効Ｆナンバー、Yは像高、fは全系の焦点距離、Mは横倍率、Wは半画角（゜）、fB はバックフォーカス、ｒは曲率半径、ｄはレンズ厚またはレンズ間隔、Ndはｄ線の屈折率、νはアッベ数を示す。M、fB及び撮影距離によって変化するｄについては、無限遠-最短物体撮影距離の順に示している。
また、回転対称非球面は次式で定義される。
x=cy2/[1+[1-(1+K)c2y2]1/2]+A4y4+A6y6+A8y8 +A10y10+A12y12・・・
（但し、ｘは非球面形状、ｃは曲率（１／ｒ）、ｙは光軸からの高さ、Ｋは円錐係数、Ａ４、Ａ６、Ａ８、・・・・・は各次数の非球面係数）
【００２５】
［数値実施例１］
図１ないし図４と表１は、本発明の広角レンズ系の数値実施例１を示している。図１と図３はそれぞれ、その無限遠物体合焦時と最短（撮影距離）物体合焦時のレンズ構成図、図２と図４はそれぞれ、図１と図３のレンズ構成における諸収差図、表１はその数値データである。
【００２６】
第１ａレンズ群１１は、物体側から順に、物体側に凸面を向けた負メニスカスレンズと両凸レンズからなっている。負メニスカスレンズの像側の面には樹脂製の非球面層が形成されている。第１ｂレンズ群１２は、物体側から順に、２枚の物体側に凸面を向けた負メニスカスレンズ、両凸正レンズ、及び両凸正レンズと両凹レンズ各１枚の接合レンズからなっている。第２レンズ群２０は、物体側から順に、両凹負レンズと両凸正レンズ各１枚の接合レンズ、及び像側に凸面を向けた２枚の正メニスカスレンズからなっている。無限遠物体から近距離物体へのフォーカシングは、像面に対して第１ａレンズ群１１を固定し、第１ｂレンズ群１２と第２レンズ群２０を個別に（独立させて）物体側に移動させて行う。絞りＳは、第２レンズ群２０（第１５面）の前方（物体側）１．００の位置にあり、フォーカシングに際し、第２レンズ群２０と一緒に移動する。
【００２７】
（表１）
FNO. =  1: 4.0
f  =  15.00
M  = 0.000 - -0.145
W  = 43.5
fB = 37.49 - 39.90
面No.     r          d       Nd         ν
1      57.113      1.40    1.72916     54.7
2      29.738      0.10    1.52972     42.7
3*     23.318      3.09
4      54.208      4.16    1.50000     63.9
5   -1024.688    3.12 - 1.49
6      18.316      1.00    1.81000     47.5
7       9.300      5.28
8     103.971      1.35    1.81000     47.5
9      11.668      1.71
10     32.873      7.48    1.74076     27.4
11   -214.919      0.10
12     15.689      4.50    1.66240     31.9
13    -11.373      1.68    1.80000     50.2
14   8815.245    2.95 - 2.17
15   -123.963      3.00    1.80000     26.1
16     13.286      3.02    1.49700     81.6
17    -21.288      0.50
18    -66.932      1.64    1.50000     69.6
19    -19.357      0.50
20   -175.426      1.91    1.48749     70.2
21    -18.294       -
＊非球面データ（表示していない非球面係数は0.00である。）；
面No.
K          A4           A6               A8
NO.3  0.0   -0.24221×10-4  0.91040×10-8   -0.30083×10-10
［数値実施例２］
図５ないし図８と表２は、本発明の広角レンズ系の数値実施例２を示している。図５と図７はそれぞれ、その無限遠物体合焦時と最短（撮影距離）物体合焦時のレンズ構成図、図６と図８はそれぞれ、図５と図７のレンズ構成における諸収差図、表２はその数値データである。基本的なレンズ構成及びフォーカシング態様は、第１ａレンズ群１２の物体側から２枚目のレンズが物体側に凸面を向けた正メニスカスレンズである点、第１ｂレンズ群１２の物体側から３枚目のレンズが物体側に凸面を向けた正メニスカスレンズである点、及び第１ｂレンズ群１２の接合負レンズが像側に凹面を向けた負メニスカスレンズである点を除き、数値実施例１と同様である。絞りＳは第２レンズ群２０（第１５面）の前方（物体側）１．００の位置にあり、フォーカシングに際し、第２レンズ群２０と一緒に移動する。
（表２）
FNO. =  1: 4.0
f   = 15.00
M   = 0.000 - -0.142
W   = 43.6
fB  = 37.50 - 39.72
面No.   r          d       Nd         ν
1      45.303      1.40    1.72916     54.7
2      24.970      0.10    1.52972     42.7
3*     20.449      4.51
4      47.785      3.81    1.50000     66.4
5     717.096    3.10 - 1.51
6      18.071      1.00    1.81000     47.5
7       9.300      5.06
8      48.824      1.00    1.81000     47.5
9      10.132      2.17
10      28.931      6.87    1.80886     25.2
11      82.673      0.10
12      16.190      4.50    1.68943     30.2
13     -10.323      1.00    1.79939     50.2
14     -54.109   2.63 - 2.00
15     -44.370      3.00    1.80000     25.1
16      13.644      3.02    1.50000     71.3
17     -15.745      0.50
18     -56.007      1.64    1.50000     69.6
19     -18.225      0.50
20     -78.196      1.91    1.48749     70.2
21     -19.732       -
＊非球面データ（表示していない非球面係数は0.00である。）；
面No.
K         A4            A6               A8
NO.3  0.0   -0.24888×10-4  0.14867×10-7   -0.11364×10-9
【００２８】
［数値実施例３］
図９ないし図１２と表３は、本発明の広角レンズ系の数値実施例３を示している。図９と図１１はそれぞれ、その無限遠物体合焦時と最短（撮影距離）物体合焦時のレンズ構成図、図１０と図１２はそれぞれ、図９と図１１のレンズ構成における諸収差図、表３はその数値データである。基本的なレンズ構成及びフォーカシング態様は、数値実施例２と同様である。絞りＳは第２レンズ群２０（第１５面）の前方（物体側）１．００の位置にあり、フォーカシングに際し、第２レンズ群２０と一緒に移動する。
（表３）
FNO. =  1: 4.1
f   = 15.00
M   = 0.000 - -0.144
W   = 43.4
fB  = 37.50 - 39.88
面No.     r          d       Nd         ν
1      78.420      1.40    1.80400     46.6
2      29.567      0.10    1.52972     42.7
3*     22.216      1.58
4      34.896      5.38    1.53172     48.9
5     793.317    3.02 - 1.50
6      17.700      1.00    1.80400     46.6
7       9.883      4.38
8      62.422      1.00    1.80400     46.6
9      10.753      1.70
10      25.442     6.81    1.76182     26.5
11     230.236     2.69
12      19.107     3.90    1.69895     30.1
13     -10.782     1.43    1.80400     46.6
14    -379.992   2.87 - 2.00
15    -128.017     3.00    1.80518     25.4
16      12.879     3.02    1.49700     81.6
17     -27.349     0.50
18     -49.469     1.64    1.48749     70.2
19     -17.327     0.50
20    -292.976     1.91    1.48749     70.2
21     -16.485       -
＊非球面データ（表示していない非球面係数は0.00である。）；
面No.
K          A4           A6               A8
NO.3  0.0   -0.30400×10-4  0.14389×10-7   -0.54718×10-10
【００２９】
［数値実施例４］
図１３ないし図１６と表４は、本発明の広角レンズ系の数値実施例４を示している。図１３と図１５はそれぞれ、その無限遠物体合焦時と最短（撮影距離）物体合焦時のレンズ構成図、図１４と図１６はそれぞれ、図１３と図１５のレンズ構成における諸収差図、表４はその数値データである。基本的なレンズ構成及びフォーカシング態様は、数値実施例２と同様である。絞りＳは第２レンズ群２０（第１５面）の前方（物体側）１．００の位置にあり、フォーカシングに際し、第２レンズ群２０と一緒に移動する。
（表４）
FNO. =  1: 4.1
f   = 15.45
M   = 0.000 - -0.148
W   = 42.7
fB  = 37.50 - 39.99
面No.     r          d       Nd         ν
1      68.944      1.40    1.80400     46.6
2      29.739      0.10    1.52972     42.7 
3*     23.464      1.75
4      36.047      5.15    1.53172     48.9
5     613.864    3.20 - 1.50
6      17.091      1.00    1.80400     46.6
7       9.732      4.37
8      43.905      1.00    1.80400     46.6
9      10.300      2.80
10      35.048     6.81    1.76182     26.5
11     225.065     1.22
12      17.376     4.06    1.69895     30.1
13     -10.584     1.59    1.80400     46.6
14    -938.503   2.79 - 2.00
15     -73.266     3.00    1.80518     25.4 
16      14.003     3.02    1.49700     81.6
17     -18.481     0.50
18     -67.277     1.64    1.48749     70.2
19     -19.218     0.50
20    -119.433     1.91    1.48749     70.2
21     -18.651       -
＊非球面データ（表示していない非球面係数は0.00である。）；
面No.
K          A4           A6               A8
NO.3  0.0   -0.23016×10-4  0.49713×10-8   0.25709×10-10
【００３０】
［数値実施例５］
図１７ないし図２０と表５は、本発明の広角レンズ系の数値実施例５を示している。図１７と図１９はそれぞれ、その無限遠物体合焦時と最短（撮影距離）物体合焦時のレンズ構成図、図１８と図２０はそれぞれ、図１７と図１９のレンズ構成における諸収差図、表５はその数値データである。基本的なレンズ構成及びフォーカシング態様は、第１ｂレンズ群１２の物体側から３枚目のレンズが物体側に凸面を向けた正メニスカスレンズである点を除き、数値実施例１と同様である。絞りＳは第２レンズ群２０（第１５面）の前方（物体側）１．５７の位置にあり、フォーカシングに際し、第２レンズ群２０と一緒に移動する。
（表５）
FNO. =  1: 4.1
f   = 15.45
M   = 0.000 - -0.152
W   = 42.9
fB  = 37.50 - 40.14
面No.   r          d         Nd         ν
1      68.051      2.00    1.77250     49.6
2      29.129      0.15    1.52972     42.7
3*     23.181      3.32 
4      63.136      4.55    1.53172     48.9 
5    -377.110    3.31 - 1.47
6      17.007      1.00    1.80400     46.6 
7       9.300      4.97
8      38.612      1.00    1.80400     46.6
9      11.119      2.26
10      31.207      6.54    1.76182     26.5
11     122.835      0.59
12      16.757      3.91    1.69895     30.1
13     -11.654      1.00    1.80400     46.6
14     684.227    3.65 - 2.87
15    -125.109      3.00    1.80518     25.4
16      14.066      3.02    1.49700     81.6
17     -19.090      0.50
18    -117.839      1.64    1.48749     70.2
19     -18.256      0.50
20     -68.457      1.91    1.48749     70.2
21     -20.774       -
＊非球面データ（表示していない非球面係数は0.00である。）；
面No.
K          A4            A6               A8
NO.3   0.0  -0.23794×10-4   0.21028×10-8   -0.20581×10-10
【００３１】
［数値実施例６］
図２１ないし図２４と表６は、本発明の広角レンズ系の数値実施例６を示している。図２１と図２３はそれぞれ、その無限遠物体合焦時と最短（撮影距離）物体合焦時のレンズ構成図、図２１と図２３はそれぞれ、図２１と図２３のレンズ構成における諸収差図、表６はその数値データである。無限遠物体から近距離物体へのフォーカシングは、第１レンズ群１０と第２レンズ群２０を個別に（独立させて）物体側に移動させて行う。基本的なレンズ構成は、第１ｂレンズ群１２の物体側から３枚目の両凸正レンズと正負レンズの接合レンズの間に、像側に凸面を向けた負メニスカスレンズが配置されている点、第１ｂレンズ群１２中の接合レンズの負レンズが物体側に凸面を向けた負メニスカスレンズである点を除き、数値実施例１と同様である。絞りＳは、第２レンズ群２０（第１７面）の前方（物体側）１．００の位置にあり、フォーカシングに際し、第２レンズ群２０と一緒に移動する。
（表６）
FNO. = 1: 4.0
f   = 15.45
M   = 0.000 - -0.151
W   = 43.2
fB  = 37.47 - 40.12
面No.        r          d        Nd         ν
1          46.940      1.40    1.72916     54.7
2          27.608      0.10    1.52972     42.7
3*         22.997      3.40
4          47.608      4.21    1.50051     69.1
5       -8733.782      1.50
6          15.563      1.01    1.80400     46.6
7           8.989      4.31
8          51.012      1.00    1.80400     46.6
9          11.044      2.02
10         25.718      7.00    1.80518     25.4
11        -73.792      0.81
12        -28.796      1.00    1.80400     46.6
13      -1343.137      0.20
14         25.369      4.81    1.60000     38.2
15         -8.850      2.78    1.67586     58.3
16        -46.229    2.77 - 1.99
17        -128.466     2.48    1.80518     25.4
18          17.979     2.74    1.49700     81.6
19         -18.131     0.50
20         -70.014     1.48    1.51633     64.1
21         -23.188     1.00
22        -217.392     2.01    1.48749     70.2
23         -20.642       -
＊非球面データ（表示していない非球面係数は0.00である。）；
面No.
K         A4            A6               A8
NO.3  0.0   -0.19163×10-4  0.59264×10-8  -0.31481×10-10
【００３２】
［数値実施例７］
図２５ないし図２８と表７は、本発明の広角レンズ系の数値実施例６を示している。図２５と図２７はそれぞれ、その無限遠物体合焦時と最短（撮影距離）物体合焦時のレンズ構成図、図２６と図２８はそれぞれ、図２５と図２７のレンズ構成における諸収差図、表７はその数値データである。基本的なレンズ構成及びフォーカシング態様は、第１ａレンズ群１２の物体側から２枚目のレンズが物体側に凸面を向けた正メニスカスレンズである点、第２レンズ群２０の最も像側のレンズが両凸レンズである点を除き、数値実施例６と同様である。絞りＳは、第２レンズ群２０（第１７面）の前方（物体側）１．００の位置にあり、フォーカシングに際し、第２レンズ群２０と一緒に移動する。
（表７）
FNO. =  1: 4.0
f   = 15.45
M   = 0.000 - -0.147
W   = 43.2
fB  = 37.49 - 40.13
面No.        r          d        Nd        ν
1         74.826      1.40    1.68565      34.2 
2         38.276      0.10    1.52972      42.7 
3*        27.328      2.03
4         58.274      3.80    1.60423      53.4 
5        402.268      1.50
6         15.367      1.00    1.80958      47.5
7          9.598      5.86
8         84.990      1.00    1.80975      47.5
9         11.493      1.65
10        21.976      7.00    1.83617      24.1 
11       -76.405      1.10
12       -21.576      1.00    1.80000      49.8
13       -83.668      0.20
14       28.896       4.81    1.56841      40.9
15       -8.310       1.62    1.64957      60.8
16      -46.008     2.76 - 2.00
17     -126.569       3.24    1.80518      25.4
18       17.603       2.74    1.49700      81.6
19      -21.511       0.50
20      -45.019       1.48    1.51633      64.1
21      -19.690       1.00
22      189.892       2.01    1.48749     70.2
23      -19.717       -
＊非球面データ（表示していない非球面係数は0.00である。）；
面No.
K           A4           A6               A8
NO.3  0.0   -0.26650×10-4  0.21338×10-7  -0.19772×10-10
【００３３】
各数値実施例の各条件式に対する値を表８に示す。
（表８）
2009116132.tif 000003
【００３４】
表８から明らかなように、実施例１ないし７は条件式（１）〜（５）を満足しており、また諸収差図から明らかなように諸収差は比較的よく補正されている。
【図面の簡単な説明】
【００３５】
【図１】本発明による広角レンズ系の数値実施例１の無限遠物体合焦時のレンズ構成図である。
【図２】図１のレンズ構成の諸収差図である。
【図３】数値実施例１の最短物体合焦状態におけるレンズ構成図である。
【図４】図３のレンズ構成における諸収差図である。
【図５】本発明による広角レンズ系の数値実施例２の無限遠物体合焦時のレンズ構成図である。
【図６】図５のレンズ構成の諸収差図である。
【図７】数値実施例２の最短物体合焦状態におけるレンズ構成図である。
【図８】図７のレンズ構成における諸収差図である。
【図９】本発明による広角レンズ系の数値実施例３の無限遠物体合焦時のレンズ構成図である。
【図１０】図９のレンズ構成の諸収差図である。
【図１１】数値実施例３の最短物体合焦状態におけるレンズ構成図である。
【図１２】図１１のレンズ構成における諸収差図である。
【図１３】本発明による広角レンズ系の数値実施例４の無限遠物体合焦時のレンズ構成図である。
【図１４】図１３のレンズ構成の諸収差図である。
【図１５】数値実施例４の最短物体合焦状態におけるレンズ構成図である。
【図１６】図１５のレンズ構成における諸収差図である。
【図１７】本発明による広角レンズ系の数値実施例５の無限遠物体合焦時のレンズ構成図である。
【図１８】図１７のレンズ構成の諸収差図である。
【図１９】数値実施例５の最短物体合焦状態におけるレンズ構成図である。
【図２０】図１９のレンズ構成における諸収差図である。
【図２１】本発明による広角レンズ系の数値実施例６の無限遠物体合焦時のレンズ構成図である。
【図２２】図２１のレンズ構成の諸収差図である。
【図２３】数値実施例６の最短物体合焦状態におけるレンズ構成図である。
【図２４】図２３のレンズ構成における諸収差図である。
【図２５】本発明による広角レンズ系の数値実施例７の無限遠物体合焦時のレンズ構成図である。
【図２６】図２５のレンズ構成の諸収差図である。
【図２７】数値実施例７の最短物体合焦状態におけるレンズ構成図である。
【図２８】図２７のレンズ構成における諸収差図である。
【図１】
2009116132.tif 000004
【図２】
2009116132.tif 000005
【図３】
2009116132.tif 000006
【図４】
2009116132.tif 000007
【図５】
2009116132.tif 000008
【図６】
2009116132.tif 000009
【図７】
2009116132.tif 000010
【図８】
2009116132.tif 000011
【図９】
2009116132.tif 000012
【図１０】
2009116132.tif 000013
【図１１】
2009116132.tif 000014
【図１２】
2009116132.tif 000015
【図１３】
2009116132.tif 000016
【図１４】
2009116132.tif 000017
【図１５】
2009116132.tif 000018
【図１６】
2009116132.tif 000019
【図１７】
2009116132.tif 000020
【図１８】
2009116132.tif 000021
【図１９】
2009116132.tif 000022
【図２０】
2009116132.tif 000023
【図２１】
2009116132.tif 000024
【図２２】
2009116132.tif 000025
【図２３】
2009116132.tif 000026
【図２４】
2009116132.tif 000027
【図２５】
2009116132.tif 000028
【図２６】
2009116132.tif 000029
【図２７】
2009116132.tif 000030
【図２８】
2009116132.tif 000031